(57)【要約】【課題】  製造コストが小さく、格別に治具を必要としないにも拘わらず、製造時の作業が容易な、消雪用ブロックの製造用の鉄筋かごを提供する。【解決手段】路面に敷設されるとき露出する上面に複数個の散水ノズル（２０）が埋め込まれ、内部の通水管（２１）から供給される水が散水されて路面上の雪を融雪する消雪用ブロック（１）の、該ブロック製造用の鉄筋かご（５５）として構成する。鉄筋かご（５５）は、Ｕ字溝状のかご体（３）と平板状の網体（４）とから構成する。かご体（３）を構成している第１、２の鉄筋（７、９）はいずれも略コの字形に形成するが、第２の鉄筋（９）についてはさらに両先端部を内側に折り曲げて爪部（１１）を形成する。かご体（３）に網体（４）を載せると網体（４）が爪部（１１）によって支持される。【選択図】図１
2014015745.tif 000002
【特許請求の範囲】
【請求項１】
細長い直方体状を呈し、路面に敷設されるとき露出する上面に複数個の散水ノズルが埋め込まれ、内部に設けられている通水管から供給される水が前記散水ノズルから散水されて前記路面上の雪を融雪するようになっている消雪用ブロックの、該ブロック製造用の鉄筋かごであって、
鉄筋かごは、一方の面が開口した略Ｕ字溝状を呈するかご体と、平板状の網体とから構成され、前記かご体にその開口部から前記散水ノズルを備えた前記通水管を入れ、そして前記網体によって前記開口部を閉鎖し、前記かご体と前記網体とを溶接により固着し、そしてコンクリートを打設すると消雪用ブロックが製造されるようになっており、
前記かご体は、略コの字状を呈する第１、２の鉄筋と、直線状の棒状鉄筋とから構成され、並行に配置された２本以上の棒状鉄筋に沿って、複数本の第１、２の鉄筋が所定の間隔を空けて設けられ、溶接によって前記棒状鉄筋に固着されており、
前記第１の鉄筋は１本の鉄筋から２箇所が折り曲げられて略コの字形に形成され、前記第２の鉄筋は１本の鉄筋から２箇所が折り曲げられて略コの字形に形成されていると共にさらに両先端部近傍において内側に折り曲げられて爪状に形成されており、
前記かご体の開口部に前記網体が入れられると、前記第２の鉄筋の爪状の部分によって前記網体が支持されるようになっていることを特徴とする消雪用ブロック製造用の鉄筋かご。
【発明の詳細な説明】
【技術分野】
【０００１】
本発明は、路面に敷設され、路面に積もった雪を散水によって融雪する消雪用ブロックの、該ブロック製造用の鉄筋かごに関するものであり、より詳しくは、細長い直方体状を呈し、路面に敷設されるとき露出する上面に複数個の散水ノズルが埋め込まれ、内部に設けられている通水管から供給される水が散水ノズルから散水されるようになっている消雪用ブロックの、製造用の鉄筋かごに関するものである。
【背景技術】
【０００２】
豪雪地帯においては、散水ノズルを備えた消雪用ブロックが路面に埋設され、積雪時に散水ノズルから地下水等が散水されて路面の雪が融雪されるようになっている。消雪用ブロックは、特許文献１にも提案されているように、色々な文献において提案されているが、例えば図２のように構成されている。消雪用ブロック５０は、正確には断面形状が台形状を呈しているが、概略的には細長い略直方体状を呈するブロックからなる。消雪用ブロック５０の２辺の短辺は３０〜４０ｃｍ、長辺の長さは例えば５〜１０ｍのようになっている。そして、図２において上面５１が、該消雪用ブロック５０が路面に敷設されたときに露出する面になっており、複数個の散水ノズル５２、５２、…が埋め込まれている。また消雪用ブロック５０には、内部に長手方向に延びる通水管５４が設けられており、この通水管５４から分岐した管の先端に散水ノズル５２、５２、…が接続されている。従って消雪用ブロック５０が路面に敷設され、通水管５４に所定の水圧で地下水等が供給されると、散水ノズル５２、５２、…のそれぞれから散水されて路面に積もった雪が融けるようになっている。
【０００３】
このような消雪用ブロック５０は、鉄筋コンクリートから形成され、内部には消雪用ブロック５０を補強する鉄筋かご、あるいは通水管５４を保護する保護鉄筋が設けられている。鉄筋かご５５は、図３の（ア）に示されているように、略Ｕ字溝状を呈するかご体５６と、平板状を呈する網体５７とから構成されている。かご体５６は、略コの字型を呈するように折り曲げられた複数本のコの字鉄筋５９、５９、…と、直線状の棒状鉄筋６０とから溶接によって形成されており、上部が開口している。一方、網体５７は、全て真っ直ぐな鉄筋６２、６３、…から溶接によって網状に形成されている。このようなかご体５６と網体５７とから、消雪用ブロック５０は次のように製造される。かご体５６を開口部が上を向くように設置する。この開口部から、散水ノズル５２、５２、…が設けられている通水管５４を散水ノズル５２、５２、…が下向きになるように入れる。そしてかご体５６の開口部を閉鎖するように網体５７を設ける。図３の（イ）には、この状態を側面方向から見た様子が示されている。符号６４、６４で示されている部分を溶接によって固着すると、かご体５６と網体５７が一体化して鉄筋かご５５が形成される。この鉄筋かご５５は通水管５４を囲って保護しているので保護鉄筋ということもできる。これを、図示されていない型枠内に入れ、コンクリートを打設し、固化を待って型枠から取り出すと消雪用ブロック５０が得られる。
【先行技術文献】
【特許文献】
【０００４】
【特許文献１】特開平１０−３１１０１３号公報
【発明の概要】
【発明が解決しようとする課題】
【０００５】
従来の鉄筋かご５５によっても、消雪用ブロック５０を製造できるので、消雪用ブロックとしては格別に問題はない。しかしながら解決すべき問題も見受けられる。従来の鉄筋かご５５において、かご体５６と網体５７とを溶接によって一体化するとき、網体５７を支持しないと網体５７は落下してしまう。あるいは図３の（ウ）に示されているように斜めになってしまう。従って溶接によって一体化するときには、網体５７の一方と他方の端部を、アシスタント作業者によって支えてもらって網体５７を固定した状態で実施している。そうすると溶接作業者以外にアシスタント作業者が格別に２名必要になり、製造コストが嵩んでしまう。あるいは網体５７を支持する特別な治具を用意すれば、アシスタント作業者がいなくても溶接時に網体５７を支持することはできそうである。しかしながら治具が格別に必要であるという問題もあるし、溶接前に治具を設置し、溶接後に治具を取り外すようにする必要があり、作業が繁雑である。
【０００６】
本発明は、上記したような従来の問題を解決した、消雪用ブロックを製造する鉄筋かごを提供することを目的としており、具体的には、製造コストが小さく、格別に治具を必要としないにも拘わらず、製造時の作業が容易な、消雪用ブロックの製造用の鉄筋かごを提供することを目的としている。
【課題を解決するための手段】
【０００７】
本発明は、上記目的を達成するために、細長い直方体状を呈し、路面に敷設されるとき露出する上面に複数個の散水ノズルが埋め込まれ、内部に設けられている通水管から供給される水が前記散水ノズルから散水されて前記路面上の雪を融雪するようになっている消雪用ブロックの、該ブロック製造用の鉄筋かごであって、鉄筋かごは、一方の面が開口した略Ｕ字溝状を呈するかご体と、平板状の網体とから構成され、前記かご体にその開口部から前記散水ノズルを備えた前記通水管を入れ、そして前記網体によって前記開口部を閉鎖し、前記かご体と前記網体とを溶接により固着し、そしてコンクリートを打設すると消雪用ブロックが製造されるようになっており、前記かご体は、略コの字状を呈する第１、２の鉄筋と、直線状の棒状鉄筋とから構成され、並行に配置された２本以上の棒状鉄筋に沿って、複数本の第１、２の鉄筋が所定の間隔を空けて設けられ、溶接によって前記棒状鉄筋に固着されており、前記第１の鉄筋は１本の鉄筋から２箇所が折り曲げられて略コの字形に形成され、前記第２の鉄筋は１本の鉄筋から２箇所が折り曲げられて略コの字形に形成されていると共にさらに両先端部近傍において内側に折り曲げられて爪状に形成されており、前記かご体の開口部に前記網体が入れられると、前記第２の鉄筋の爪状の部分によって前記網体が支持されるようになっていることを特徴とする消雪用ブロック製造用の鉄筋かご、として構成される。
【発明の効果】
【０００８】
以上のように、本発明によると、細長い直方体状を呈し、路面に敷設されるとき露出する上面に複数個の散水ノズルが埋め込まれ、内部に設けられている通水管から供給される水が散水ノズルから散水されて路面上の雪を融雪するようになっている消雪用ブロックの、該ブロック製造用の鉄筋かごとして構成されている。つまり本発明は、一般的な消雪用ブロックを対象として、その製造用の鉄鋼かごということができる。すなわち実質的にほとんどの消雪用ブロックに対応している。そして、鉄筋かごは、一方の面が開口した略Ｕ字溝状を呈するかご体と、平板状の網体とから構成され、かご体にその開口部から散水ノズルを備えた通水管を入れ、そして網体によって開口部を閉鎖し、かご体と網体とを溶接により固着し、そしてコンクリートを打設すると消雪用ブロックが製造されるようになっている。つまり、鉄筋かごの目的である補強と通水管の保護についても従来と同様であるし、消雪用ブロックの製造方法も従来と同様である。すなわちこの点においてもほとんどの消雪用ブロックを対象にできることが分かる。そして本発明によると、かご体は、略コの字状を呈する第１、２の鉄筋と、直線状の棒状鉄筋とから構成され、並行に配置された２本以上の棒状鉄筋に沿って、複数本の第１、２の鉄筋が所定の間隔を空けて設けられ、溶接によって棒状鉄筋に固着されており、第１の鉄筋は１本の鉄筋から２箇所が折り曲げられて略コの字形に形成され、第２の鉄筋は１本の鉄筋から２箇所が折り曲げられて略コの字形に形成されていると共にさらに両先端部近傍において内側に折り曲げられて爪状に形成されており、かご体の開口部に網体が入れられると、第２の鉄筋の爪状の部分によって網体が支持されるようになっている。つまり本発明のかご体は、第２の鉄筋の爪状の部分によって、開口部に入れられた網体が支持されることになる。そうするとアシスタント作業者がいなくても、あるいは特別な治具がなくても、溶接作業者一人だけでかご体と網体とを溶接によって固定して鉄筋かごを得ることができる。従って、消雪用ブロックの製造コストが小さいし、作業の効率が高い。
【図面の簡単な説明】
【０００９】
【図１】本発明の実施の形態に係る消雪用ブロックの鉄筋かごを模式的に示す図で、その（ア）は鉄筋かごを構成している第２の鉄筋を示す平面図、その（イ）は鉄筋かごのかご体と網体とを示す斜視図、その（ウ）は、かご体に通水管を入れて網体を載せた状態を示す側面図である。
【図２】消雪用ブロックを示す斜視図である。
【図３】従来の消雪用ブロックの製造方法を模式的に説明する図で、その（ア）は鉄筋かごのかご体と網体と、通水管とを示す斜視図、その（イ）、（ウ）は、かご体に通水管を入れて網体を載せた状態を示す側面図である。
【発明を実施するための形態】
【００１０】
以下、本発明の実施の形態に係る消雪用ブロック１を製造するための鉄筋かご２について説明する。
本実施の形態に係る鉄筋かご２も、従来の消雪用ブロック製造用の鉄筋かごと同様に、図１の（イ）に示されているように、かご体３と、網体４とから構成されている。図に示されているかご体３と網体４は長手方向に比較的短く形成されているが、製造する消雪用ブロックの長さに応じて、長手方向の長さは適宜設計される。本実施の形態においても、鉄筋かご２の網体４は、従来のかご体と同様に直線状の鉄筋１５、１６、…から溶接によって形成され、平板の長方形状を呈している。
【００１１】
これに対し、かご体３は、従来のかご体と同様の形状の鉄筋と、本発明に特有の所定の形状の鉄筋とから構成されている。従来と同様の形状の鉄筋は、棒状鉄筋８と第１の鉄筋７である。棒状鉄筋８は直線状の鉄筋である。一方第１の鉄筋７は、１本の鉄筋から２箇所において略直角に曲げられて略コの字形を呈している。従って第１の鉄筋７はコの字型鉄筋ということもできる。ただし本実施の形態においては、第１の鉄筋７の２箇所の曲げられた部分は、直角よりもわずかに大きい鈍角に形成され、それによって第１の鉄筋７はコの字が若干開いた形状になっている。従ってかご体３と網体４とから鉄筋かご２が形成されるとき、鉄筋かご２を側面から見ると台形状を呈することになる。
【００１２】
かご体３を構成している本発明に特有の鉄筋は、第２の鉄筋９である。第２の鉄筋９も、第１の鉄筋７を形成している鉄筋と略同じ長さの１本の鉄筋から曲げられており、図１の（ア）に示されているように、第１の鉄筋７と類似した形状になっている。つまり中程で折り曲げられている２箇所の部分は直角、あるいは直角よりもわずかに大きい鈍角になっていて、全体として略コの字形を呈していると言える。しかしながら、両先端部近傍において、さらに内側に折り曲げられている。すなわち第２の鉄筋９は４箇所において折り曲げられている。このように両先端部近傍において折り曲げられていることによって、内側に突きだした爪部１１、１１が形成されることになる。なお、図においては爪部１１、１１は比較的長く折り曲げられて、大きく描かれているが、後で説明するように通水管等をかご体３に入れるので、実際には爪部１１、１１は作業の妨げにならないように小さく形成されている。
【００１３】
本実施の形態に係るかご体３は、複数本の第１の鉄筋７、７、…と、複数本の第２の鉄筋９、９、…と、２本の棒状鉄筋８、８とから形成されている。具体的には、並行に配置された棒状鉄筋８、８に対して、この棒状鉄筋８、８に沿って第１、２の鉄筋７、９、…が所定の間隔を空けて配置され、これらの鉄筋７、８、９の接合点が溶接によって固着されている。なお、棒状鉄筋８、８は本実施の形態においては２本から構成されているが、３本または４本から構成されていてもよい。
【００１４】
本発明を実施するためには、かご体３を構成している第２の鉄筋９、９、…は少なくとも２本以上必要である。かご体３の開口部に網体４が入れられたときに、網体４は第２の鉄筋９、９、…の爪部１１、１１、…によって係止されることになるが、網体４を、少なくとも２箇所以上で支持する必要があるからである。同様にかご体３を構成している第１の鉄筋７、７、…も少なくとも２本以上必要である。網体４が第２の鉄筋９、９、…の爪部１１、１１、…によって支持されるとき、網体４が横方向にずれないように側方から押さえる必要があるからである。
【００１５】
本実施の形態に係る消雪用ブロック１の製造方法を説明する。本実施の形態に係るかご体３を、その開口部を上にして設置する。次いで散水ノズル２０が設けられている通水管２１を、散水ノズル２０が下向きになるようにしてかご体３の内部に入れる。次いでかご体３の開口部に網体４を入れる。この状態が図１の（ウ）に示されている。網体４は、第２の鉄筋９、９、…の爪部１１、１１、…によって係止される。すなわち支持される。かご体３と網体４とを溶接によって固定する。すなわち内側に通水管２１が設けられた鉄筋かご２が得られる。これを所定の型枠に入れ、コンクリートを打設する。固化を待って型枠から取り出すと消雪用ブロック１が得られる。
【符号の説明】
【００１６】
１    消雪用ブロック              ２    鉄筋かご
３    かご体                      ４    網体
７    第１の鉄筋                  ８    棒状鉄筋
９    第２の鉄筋                １１    爪部
２０    散水ノズル                ２１    通水管
【図１】
2014015745.tif 000003
【図２】
2014015745.tif 000004
【図３】
2014015745.tif 000005